(57)【要約】      （修正有）【課題】採取した検体を長期間（半年位）保存できる子宮癌検診等において、診療現場における医師による検体の直接塗抹標本作製を廃止し、多目的検査に応用可能な検体の保存容器を提供する。【解決手段】生体の粘膜から採取される検査用の検体２が先端部１ａに付着した１本又は複数本の検体採取器具１を先端部１ａが保存液９に浸漬されるように保存液９が収容された容器本体８ａと、該容器本体の上部にねじ止めされ該容器本体を水密状態に保持するための蓋８ｂとからなる保存容器８に１本又は複数本の検体採取器具１を収容してなる構成を特徴とする。【選択図】図１
0003150826.tif 000002
【実用新案登録請求の範囲】
【請求項１】
生体の粘膜から採取される検査用の検体が先端部に付着した１本又は複数本の検体採取器具を前記先端部が保存液に浸漬されるように保存液が収容された容器本体と、該容器本体の上部にねじ止めされ該容器本体を水密状態に保持するための蓋とからなる保存容器に前記１本又は複数本の検体採取器具を収容してなることを特徴とする検体の保存容器。
【請求項２】
前記検体採取器具は、綿棒又はサイトピックであることを特徴とする請求項１に記載の検体の保存容器。
【請求項３】
生体の粘膜から採取される検査用の検体が先端部に付着した１本又は複数本の検体採取器具を前記先端部が保存液に浸漬されるように保存液が収容された容器本体と、該容器本体の上部にねじ止めされ該容器本体を水密状態に保持するための蓋とからなる検体の保存容器を複数同時に立設させて倒れないように収容するため、側板を介して底板と天井板とが互いに固着され、前記底板には前記保存容器の直径よりも少し大きめの複数の座ぐり穴が形成され、前記天井板には前記座ぐり穴と同径の複数の貫通穴が形成されたことを特徴とする保存容器の立設用ケース。
【請求項４】
生体の粘膜から採取される検体が先端部に付着した１本又は複数本の検体採取器具を前記先端部が保存液に浸漬されるように保存液が収容された容器本体と、該容器本体の上部にねじ止めされ該容器本体を水密状態に保持するための蓋とからなる検体の保存容器に前記１本又は複数本の前記検体採取器具を収容したものを同時に複数搬送できるようにするため、ビニールネットケース本体と該ビニールネットケース本体の上部を開閉するためのファスナとからなることを特徴とする保存容器の搬送用ケース。
【考案の詳細な説明】
【技術分野】
【０００１】本考案は、子宮癌検診等における検体の保存容器に係り、特に子宮頸部、子宮膣部、のど等の粘膜から採取される検体が先端部に付着した１本又は複数本の検体採取器具を先端部が保存液に浸漬されるように保存液が収容された容器本体に検体採取器具を収容して上部をねじ止めして該容器本体を水密状態に保持し、これを検査機関に搬送して、検査機関で検体をスライドガラスに塗抹してパパニコロウ染色を施し、細胞の均一薄層（大部分単層）塗抹標本を作製し、細胞検査士により異常細胞の有無を顕微鏡で観察して検査することにより、診療現場における医師による検体の直接塗抹標本作製を廃止し、多目的検査に応用可能で、診療現場の効率化を図ることができ、また輸送の安全性を高めることができ、１回の採取で、細胞診、トリコモナス、カンジダ、細菌性膣症、ヘルペス、淋菌、クラミジア及びＨＰＶＤＮＡ検査が可能であり、更には一度採取した検体が長期間（半年位）保存できるようにして、追加検査が必要な場合、再採取の必要がなく、患者にとっても経済的、精神的負担が軽減される画期的な検体の保存容器に関する。
【背景技術】
【０００２】子宮癌の細胞診検査等において、図８に示すように、従来は医療機関で医師が子宮頸部又は子宮膣部から粘膜の細胞を綿棒、サイトピック等の検体採取器具１の先端部１ａに付着させて採取した検体２（擦過物）を、医師がスライドガラス３に塗抹し、市販のコーティング固定剤４（スプレー式固定剤）を塗抹物に吹き付けて固定した塗抹標本５を登録衛生検査所又は検査室に運搬し、そこでパパニコロウ染色を施した後、細胞検査士により異常細胞の有無を顕微鏡で観察する方法が採られていた。
また別の方法としては、容器（図示せず）に入った９５％エタノールに、検体２が付着した検体採取器具１を一旦浸漬してから、検体２をスライドガラス３に塗抹し、搬送時にコーティング固定剤４を検体２に吹き付ける方法も採られていた。【０００３】しかし、医師による検体２のスライドガラス３への直接塗抹は、医師の技量によって必ずしも満足の行く塗抹標本５が作製されるものではなく、不適正標本となるケースも２０乃至３０％と多く、不適正標本は、正診率の低下を招く要因となるが、この問題は婦人科細胞診において長年の課題であった。【０００４】不適正標本が作製される主な原因としては、塗抹過少（目的とする細胞が十分塗抹されない。）、塗抹過多（細胞が多層性に（厚く）塗抹され、詳細な観察ができない。）、固定前の乾燥（固定前に塗抹面が乾燥してしまうと、細胞核の詳細な観察ができなくなる。）、塗抹不良（細胞をスライドガラス３に擦り過ぎて細胞が破壊されてしまう。）等がある。【０００５】また医師による直接塗抹標本では、検査項目が子宮頸癌及び体癌を含めた、関連病変の診断に限られる（一部の感染症：トリコモナス、カンジダ等）という欠点があった。【０００６】またこれまで行われていた医師による直接塗抹法では、スタッフがスライドガラスに患者氏名等の必要事項を記載し、医師が検体を塗抹した後固定操作を行い、検査室（検査業者）が集配に来るまで臨床現場に保管しなければならないため、スライドガラス３の破損、固定液９５％エタノールを流出させてこぼしてしまう等、保管作業が煩わしいという問題があった。【０００７】またスライドガラスは弾力性が小さく、割れやすいため、スライドガラスの塗抹標本を輸送する従来の方法では、輸送中にスライドガラスが破損するおそれが大きく、輸送の安全性に問題があった。
【先行技術文献】
【特許文献】
【０００８】記載を省略する。
【非特許文献】
【０００９】記載を省略する。
【考案の概要】
【考案が解決しようとする課題】
【００１０】本考案は、上記した従来技術の欠点を除くためになされたものであって、その目的とするところは、生体の粘膜から採取される検査用の検体が先端部に付着した１本又は複数本の検体採取器具を先端部が保存液に浸漬されるように保存液が収容された容器本体と、該容器本体の上部にねじ止めされ該容器本体を水密状態に保持するための蓋とからなる保存容器に１本又は複数本の検体採取器具を収容することによって、多目的検査に応用可能で、診療現場の効率化を図ることができる検体の保存容器を提供することである。
即ち、「多目的検査に応用可能」とは、１回の採取で、子宮癌関連病変のみならず、形態学的に検査できない又は検出率が低い淋菌やクラミジア（核酸増幅法の応用が可能）の検出や今後普及が期待されるＨＰＶＤＮＡ検査の応用範囲を格段に広げることである。
「診療現場の効率化」とは、医師が綿棒又はサイトピック等の検体採取器具の先端部（例えば綿棒の綿部）で被検査部位の粘膜を擦過して採取された検体が付着した該先端部を切り落とし、該先端部を保存液に浸漬するようにして容器本体に収容し、蓋をねじ止めにより閉めて患者氏名等が記載されたシールを貼るだけで済み、検体の塗抹操作の必要がないようにして医師の負担を軽減させることである。また一度採取した検体は保存液中で半年間保存できるようにして、追加検査が必要な場合、再採取の必要がなく、患者にとっても経済的、精神的負担が軽減されるようにすることである。【００１１】また他の目的は、上記構成によって、医師によって採取された検体を、直ちに保存液入りの容器本体に検体採取器具ごと収容して、検体が付着した先端部を保存液中に浸漬することによって、従来の医師による検体の塗抹操作に伴う不適正標本になる要因の多くを解消することであり、またこれによって検査室に運ばれた容器に入った検体は、均一な細胞浮遊液として処理され、遠心分離によって、細胞成分が濃縮されるようにし、この検体を熟練した細胞検査士がすりあわせ法にて、細胞の均一薄層（大部分単層）塗抹標本に作製することができるようにして、従来の乾燥した不適正標本を皆無とし、極めて高い診断率を達成することである。【００１２】更に他の目的は、生体の粘膜から採取される検査用の検体が先端部に付着した１本又は複数本の検体採取器具を先端部が保存液に浸漬されるように保存液が収容された容器本体と、該容器本体の上部にねじ止めされ該容器本体を水密状態に保持するための蓋とからなる検体の保存容器を複数同時に立設させて倒れないように収容するため、側板を介して底板と天井板とが互いに固着され、底板には保存容器の直径よりも少し大きめの複数の座ぐり穴が形成され、天井板には座ぐり穴と同径の複数の貫通穴が形成された保存容器の立設用ケースを用いることによって、診療現場において、多数の患者の子宮癌検診等のための検体の採取作業中において、検体の保存容器が整然と立設されて整理されるようにすることであり、またこれによって検体の採取作業中に保存容器が倒れたり、転がったりするおそれをなくし、また患者の混同ミス等の医療事故を未然に防止できるようにすることである。【００１３】また他の目的は、生体の粘膜から採取される検体が先端部に付着した１本又は複数本の検体採取器具を先端部が保存液に浸漬されるように保存液が収容された容器本体と、該容器本体の上部にねじ止めされ該容器本体を水密状態に保持するための蓋とからなる検体の保存容器に１本又は複数本の検体採取器具を収容したものを同時に複数搬送できるようにするため、ビニールネットケース本体と該ビニールネットケース本体の上部を開閉するためのファスナとからなる保存容器の搬送用ケースを用いることによって、検体の輸送の安全性を向上させることである。即ち、従来の方法は輸送手段及び輸送距離にかかわらず、スライドガラスを搬送するので、破損の危険性は常に伴っていたが、この欠点を解消し、保存容器の弾力性はスライドガラスに比べて格段に大きく、またファスナ付きビニールネットケースに収納して搬送することで、破損による検体の流出事故を防止し、大量検体の極めて安全な輸送を可能とすることである。
【課題を解決するための手段】
【００１４】要するに本考案に係る検体の保存容器（請求項１）は、生体の粘膜から採取される検査用の検体が先端部に付着した１本又は複数本の検体採取器具を前記先端部が保存液に浸漬されるように保存液が収容された容器本体と、該容器本体の上部にねじ止めされ該容器本体を水密状態に保持するための蓋とからなる保存容器に前記１本又は複数本の検体採取器具を収容してなることを特徴とするものである。【００１５】また本考案に係る検体の保存容器（請求項２）は、前記検体採取器具は、綿棒又はサイトピックであることを特徴とするものである。【００１６】また本考案に係る保存容器の立設用ケース（請求項３）は、生体の粘膜から採取される検査用の検体が先端部に付着した１本又は複数本の検体採取器具を前記先端部が保存液に浸漬されるように保存液が収容された容器本体と、該容器本体の上部にねじ止めされ該容器本体を水密状態に保持するための蓋とからなる検体の保存容器を複数同時に立設させて倒れないように収容するため、側板を介して底板と天井板とが互いに固着され、前記底板には前記保存容器の直径よりも少し大きめの複数の座ぐり穴が形成され、前記天井板には前記座ぐり穴と同径の複数の貫通穴が形成されたことを特徴とするものである。【００１７】また本考案に係る保存容器の搬送用ケース（請求項４）は、生体の粘膜から採取される検体が先端部に付着した１本又は複数本の検体採取器具を前記先端部が保存液に浸漬されるように保存液が収容された容器本体と、該容器本体の上部にねじ止めされ該容器本体を水密状態に保持するための蓋とからなる検体の保存容器に前記１本又は複数本の前記検体採取器具を収容したものを同時に複数搬送できるようにするため、ビニールネットケース本体と該ビニールネットケース本体の上部を開閉するためのファスナとからなることを特徴とするものである。
【考案の効果】
【００１８】本考案は、上記のように生体の粘膜から採取される検査用の検体が先端部に付着した１本又は複数本の検体採取器具を前記先端部が保存液に浸漬されるように保存液が収容された容器本体と、該容器本体の上部にねじ止めされ該容器本体を水密状態に保持するための蓋とからなる保存容器に１本又は複数本の検体採取器具を収容するようにしたので、多目的検査に応用可能で、診療現場の効率化を図ることができる検体の保存容器を提供できる効果がある。
即ち、「多目的検査に応用可能」とは、１回の採取で、子宮癌関連病変のみならず、形態学的に検査できない又は検出率が低い淋菌やクラミジア（核酸増幅法の応用が可能）の検出や今後普及が期待されるＨＰＶＤＮＡ検査の応用範囲を格段に広げることができるという効果が得られることである。
「診療現場の効率化」とは、医師が綿棒又はサイトピック等の検体採取器具の先端部（例えば綿棒の綿部）で被検査部位の粘膜を擦過して採取された検体が付着した該先端部を切り落とし、該先端部を保存液に浸漬するようにして容器本体に収容し、蓋をねじ止めにより閉めて患者氏名等が記載されたシールを貼るだけで済み、検体の塗抹操作の必要がなくなり、医師の負担を軽減させることができる効果があることである。また一度採取した検体は保存液中で半年間保存できるため、追加検査が必要な場合、再採取の必要がなく、患者にとっても経済的、精神的負担が軽減されるという極めて優れた効果が得られることである。【００１９】また上記構成によって、医師によって採取された検体を、直ちに保存液入りの容器本体に検体採取器具ごと収容して、検体が付着した先端部を保存液中に浸漬するようにしたので、従来の医師による検体の塗抹操作に伴う不適正標本になる要因の多くを解消することができる効果があり、またこの結果検査室に運ばれた容器に入った検体は、均一な細胞浮遊液として処理され、遠心分離によって、細胞成分が濃縮されるようにし、この検体を熟練した細胞検査士がすりあわせ法にて、細胞の均一薄層（大部分単層）塗抹標本に作製することができるため、従来の乾燥した不適正標本を皆無とし得、極めて高い診断率を達成することができる効果がある。【００２０】更には、生体の粘膜から採取される検査用の検体が先端部に付着した１本又は複数本の検体採取器具を先端部が保存液に浸漬されるように保存液が収容された容器本体と、該容器本体の上部にねじ止めされ該容器本体を水密状態に保持するための蓋とからなる検体の保存容器を複数同時に立設させて倒れないように収容するため、側板を介して底板と天井板とが互いに固着され、底板には保存容器の直径よりも少し大きめの複数の座ぐり穴が形成され、天井板には座ぐり穴と同径の複数の貫通穴が形成された保存容器の立設用ケースを用いたので、診療現場において、多数の患者の子宮癌検診等のための検体の採取作業中において、検体の保存容器が整然と立設されて整理されるという効果があり、またこの結果検体の採取作業中に保存容器が倒れたり、転がったりするおそれがなくなり、更には患者の混同ミス等の医療事故を未然に防止できるという効果がある。【００２１】また生体の粘膜から採取される検体が先端部に付着した１本又は複数本の検体採取器具を先端部が保存液に浸漬されるように保存液が収容された容器本体と、該容器本体の上部にねじ止めされ該容器本体を水密状態に保持するための蓋とからなる検体の保存容器に１本又は複数本の検体採取器具を収容したものを同時に複数搬送できるようにするため、ビニールネットケース本体と該ビニールネットケース本体の上部を開閉するためのファスナとからなる保存容器の搬送用ケースを用いたので、検体の輸送の安全性を向上させることができる効果がある。即ち、従来の方法は輸送手段及び輸送距離にかかわらず、スライドガラスを搬送するので、破損の危険性は常に伴っていたが、この欠点が解消され、保存容器の弾力性はスライドガラスに比べて格段に大きく、またファスナ付きビニールネットケースに収納して搬送することで、破損による検体の流出事故を防止でき、大量検体の極めて安全な輸送を可能とすることができる効果がある。
【図面の簡単な説明】
【００２２】
【図１】図１から図７は本考案の実施例に係り、図１は検体の保存容器及びその使用状態を示す斜視図である。
【図２】検体採取器具の正面図である。
【図３】検体が採取された検体採取器具を工具により切り落とす状態を示す斜視図である。
【図４】先端部が切り落とされた検体採取器具を保存容器に収容し、蓋を閉める状態を示す斜視図である。
【図５】保存容器の立設用ケースの斜視図である。
【図６】複数の検体の保存容器が収容され、整理された状態を示す保存容器の立設用ケースの使用状態を示す斜視図である。
【図７】複数の検体の保存容器が収容された状態を示す保存容器の搬送用ケースの斜視図である。
【図８】図８及び図９は従来例に係り、図８は検体採取器具で採取された検体をスライドガラスに塗抹している状態を示す斜視図である。
【図９】スライドガラスに塗抹された検体に固定剤を吹き付けて検体を固定している状態を示す斜視図である。
【符号の説明】
【００２３】  １    検体採取器具
１ａ  先端部
１ｂ  柄部
２    検体
３    スライドガラス
４    コーティング固定剤
５    塗抹標本
８    保存容器
８ａ  容器本体
８ｂ  蓋
８ｃ  おねじ
９    保存液
１０    識別ラベル
１１    保存容器の立設ケース
１２    側板
１３    底板
１３ａ  座ぐり穴
１４    天井板
１４ａ  貫通穴
１５    保存容器の搬送用ケース
１５ａ  ビニールネットケース本体
１６    ファスナ
１８    ネット
１９    工具
【考案を実施するための形態】
【００２４】以下本考案を図面に示す実施例に基づいて説明する。まず検体の保存容器８について説明すると、図１において、本考案に係る検体の保存容器８は、生体、特に人間の子宮頸部、子宮膣部、のど等（図示せず）の粘膜から採取される検査用の検体２が先端部１ａ（例えば綿棒の綿部）に付着した１本又は複数本の検体採取器具１（綿棒又はサイトピック等が使用される。図示のものは綿棒である。）を先端部１ａが保存液９に浸漬されるように保存液９が収容された容器本体８ａと、該容器本体８ａの上部にねじ止めされ該容器本体を水密状態に保持するための蓋８ｂとからなるものである。
【００２５】容器本体８ａには、その最上部におねじ８ｃが形成され、これに蓋８ｂの内周部（図示せず）に形成されためねじ（図示せず）が螺合して蓋８ｂが容器本体８ａにねじ止めされ、蓋８ｂにより容器本体８ａが水密状態に保持され、保存液９が決して流出しないようになっている。
【００２６】なお、図１の（ｂ）、（ｃ）において、検体採取器具１の一例である綿棒の綿部の太い方は、子宮膣部用であり、細い方は子宮頸部用である。
【００２７】容器本体８ａ及び蓋８ｂは、円筒状に形成され、例えばナイロン、ポリエチレン、ポリカーボネート、ポリアセタール等の透明又は半透明の合成樹脂製であり、スライドガラス３に比べてその弾力性は格段に大きく、耐衝撃性が極めて大きくなっており、輸送中に相当な力が作用しても破損されるおそれが非常に少ないように構成されている。
【００２８】蓋８ｂには、患者の氏名等を記載するための識別ラベル１０が貼られており、ここに患者の氏名等が記載され、他の患者との混同ミスが防止できるようになっている。
【００２９】保存液９は、本考案の考案者が開発した特殊な液であって、検体２を半年間は変化させることなく、良好な状態で保存できるようにした優れた液であるが、その説明は省略する。
【００３０】次に、保存容器の立設用ケース１１について説明すると、図５及び図６において、保存容器の立設用ケース１１は、生体の粘膜から採取される検査用の検体２が先端部１ａに付着した１本又は複数本の検体採取器具１を先端部１ａが保存液９に浸漬されるように保存液９が収容された容器本体８ａと、該容器本体の上部にねじ止めされ該容器本体８ａを水密状態に保持するための蓋８ｂとからなる検体の保存容器８を複数同時に立設させて倒れないように収容するため、側板１２を介して底板１３と天井板１４とが互いに固着され、底板１３には保存容器８の直径よりも少し大きめの複数の有底の円形の座ぐり穴１３ａが形成され、天井板１４には座ぐり穴１３ａと同径の複数の円形の貫通穴１４ａが形成されたものである。
【００３１】保存容器の立設ケース１１の材質は、合成樹脂でもよく、ステンレス鋼、アルミニウム等の金属や木材を使用することもできる。
【００３２】次に、保存容器の搬送用ケース１５について説明すると、図７において、保存容器の搬送用ケース１５は、生体の粘膜から採取される検体２が先端部１ａに付着した１本又は複数本の検体採取器具１を先端部１ａが保存液９に浸漬されるように保存液９が収容された容器本体８ａと、該容器本体の上部にねじ止めされ該容器本体８ａを水密状態に保持するための蓋８ｂとからなる検体の保存容器８に１本又は複数本の検体採取器具２を収容したものを同時に複数搬送できるようにするため、ビニールネットケース本体１５ａと該ビニールネットケース本体１５ａの上部を開閉するためのファスナ１６とからなるものである。
【００３３】ビニールネットケース本体１５は、例えば透明のビニール製であり、耐破壊強度を増すため、繊維のネット１８が内部に組み込まれている。
【００３４】本考案は、上記のように構成されており、以下その作用について説明する。まず検体の保存容器８の作用について説明すると、子宮癌の細胞診検査において、医師はまず図１の（ａ）のように、本考案に係る検体の保存容器８を用意し、保存液９が適量入っていることを確認して、その蓋８ｂを開けておき、図２に示す検体採取器具１の先端部１ａを患者の子宮頸部（図示せず）又は子宮膣部（図示せず）に差し入れて被検査部位の粘膜を先端部１ａで擦過し、粘膜中の細胞を検体２として先端部１ａに付着させて取り出し、図３に示すように、ニッパ等の工具１９で先端部１ａに近いところで切り落とし、図１の（ｂ）に示すように、そのまま先端部１ａを検体の保存容器８の容器本体８ａに収容し、先端部１ａが保存液９内に浸漬されるようにする。
図１の（ｂ）の場合、検体採取器具１は複数本であるから、子宮頸部と子宮膣部の検体２の混同を防止するため、例えば先端部１ａの太い方を子宮膣部、細い方を子宮頸部と決めておき、又は柄部１ｂの切り落としの長さを変え、長い方が子宮膣部、短い方が子宮頸部のように決めて、被検査部位が判別できるようにしてもよい。
【００３５】検体採取器具１が容器本体８ａに収容されたら、図１の（ｃ）に示すように、医師は蓋８ｂを容器本体８ａにねじ止めしてしっかり閉め、蓋８ｂの識別ラベル１０に患者の氏名等を記載する。これにより患者１名の検体２の採取と保存は終了となる。
よって従来のように、医師が検体２をスライドガラス３に塗抹するという煩わしい作業から開放され、また従来のような医師による不適正塗抹標本の作製といったトラブルが解消され、しかも保存液９に保存された検体２は、半年間という長期にわたって良好な状態に保存できるから、再検査の必要が生じた場合でも、１名の患者が再度検体を採取する必要はなくなり、患者の経済的、精神的負担が大幅に軽減される。
【００３６】検体保存容器８に保存された検体２は、医療機関から配送業者により、専門の細胞検査士がいる検査機関に輸送されるが、ガラスに比べて耐衝撃性が格段に優れた合成樹脂製等の検体保存容器８のまま輸送されるので、従来のスライドガラス３を輸送するのに比べてはるかに安全に輸送することができ、輸送中に検体保存容器８が破損する危険はほとんど皆無となる。
【００３７】検査機関に検体２が到着すると、検体２は均一な細胞浮遊液として処理され、遠心分離によって、細胞成分が濃縮される。そしてその検体２を熟練した細胞検査士がすりあわせ法により、細胞の均一薄層の塗抹標本に作製する。
この方法は、本願出願人が開発したリキッドベース法と称されるもので、１回の検体２の採取で、子宮関連病変のみならず、形態学的に検査できない又は検出率が低い淋菌やクラミジア（核酸増殖法の応用が可能）の検出も可能で、今後普及が期待されるＨＰＶＤＮＡ検査の応用範囲を格段に広げるものである。
更に本考案に係る検体の保存容器８で保存された検体２を用いる上記リキッドベース法では、検体２の１回の採取で、トリコモナス、カンジダ、細菌性膣症、ヘルペスの検査も可能である。
【００３８】以上のように、女性の場合には、婦人科の総合検診として、子宮頸癌、トリコモナス、カンジダ、細菌性膣症、ヘルペス、コンジローマ（ＨＰＶ）、淋菌及びクラミジアの検査を検体２の１回の採取で簡単に行うことができる。
【００３９】また最近では、オーラルセックスが原因で、感染が広がっている咽頭の性感染症が問題となっているが、のどの粘膜から検体２を採取して検体の保存容器８により保存すれば、簡単に、淋菌（のど）、クラミジア（のど）等の咽頭の性感染症の検査をすることができ。
【００４０】男性の場合には、尿道の粘膜から検体２を採取して、検体の保存容器８により保存すれば、尿道のトリコモナス、淋菌、カンジダ及びクラミジアの性感染症の検査を行うことができる。
【００４１】なお、上記のように本考案検体の保存容器８は、生体として人間の場合を例に説明したが、これは人間に限定されるものではなく、他の生体として、犬、猫、牛、馬等のペットや家畜等の動物の粘膜から検体２を採取すれば、同様に癌や性感染症の検査を行うことができるものであり、獣医師による利用ももちろん可能である。
【００４２】次に、保存容器の立設ケース１１の作用について説明すると、図５及び図６に示すように、医療機関において、医師が大勢の患者の検体２を採取する場合には、保存容器の立設ケース１１の貫通穴１４ａから保存容器８を差し込み、その底部を座ぐり穴１３ａに嵌め込んで立設させる。これによって検体の保存容器８は、縦、横いずれの方向にも動くことなく、また倒れることもなく、多数の保存容器８が整然と保存容器の立設ケース１１内に立設して整理される。
【００４３】このため、医師や看護師が検体の保存容器８を倒したり、転がしたりするおそれが全くなく、また患者の混同ミス等の医療事故を未然に防止することができ、更には医師の検体採取の作業能率を飛躍的に向上させることができる。
【００４４】次に、保存容器の搬送用ケース１５の作用について説明すると、図７に示すように、検体２が検体採取器具１ごと収容された複数の検体の保存容器８をビニールネットケース本体１５ａに収容して、ファスナ１６を閉め、これを単数又は複数の状態で輸送する。保存容器８自体も耐衝撃性が大きいのに加えて、ビニールネットケース本体１５ａが柔らかく、更に耐衝撃性を増大させるので、輸送中の検体２の破損事故をほとんど完全に防止でき、極めて安全に輸送することができる。
【図１】
0003150826.tif 000003
【図２】
0003150826.tif 000004
【図３】
0003150826.tif 000005
【図４】
0003150826.tif 000006
【図５】
0003150826.tif 000007
【図６】
0003150826.tif 000008
【図７】
0003150826.tif 000009
【図８】
0003150826.tif 000010
【図９】
0003150826.tif 000011